(57)【要約】【課題】表示品位を低下させることなく、表示領域において表示に直接関係のない部位の視認性を低下させることができる液晶表示素子を提供する。【解決手段】引廻し電極４５と帯状透明電極３２との接続部４６は、帯状透明電極３２の並び方向に隣接する複数の接続箇所を結ぶ線が、厚み方向から見て波線形状に並ぶように構成されているので、各接続部４６が並び方向に延びる仮想一直線上に配置されることを防止し、引廻し電極４５と帯状透明電極３２との接続部４６が一直線上に並んで明確に視認されることを回避することができる。このように引廻し電極４５と帯状透明電極３２との接続部４６の位置を変化させることは、表示領域における色むら発生などの表示品位の低下を招くことがない。【選択図】　　　図１
2004013009.tif 000002
【特許請求の範囲】
【請求項１】
所定間隔おきに略平行に並べて配置され、液晶を駆動する複数の帯状透明電極であって、
各帯状透明電極の並び方向に隣接し、少なくとも長手方向一端部同士が、前記長手方向に関して異なる位置に配置される２つの帯状透明電極を含むことを特徴とする液晶表示素子。
【請求項２】
所定間隔おきに略平行に並べて配置され、液晶を駆動する複数の帯状透明電極と、
各帯状透明電極の少なくとも長手方向一端部に、一体に連なって各帯状透明電極に駆動電圧を供給し得る引廻し電極とを含み、
引廻し電極と帯状透明電極との接続部は、並び方向に隣接する複数の接続箇所を結ぶ線が、長手方向および並び方向にそれぞれ直交する方向から見て略波線形状に並ぶことを特徴とする液晶表示素子。
【請求項３】
所定間隔おきに略平行に並べて配置され、液晶を駆動する複数の帯状透明電極と、
各帯状透明電極の長手方向一端部に一体に連なる引廻し電極とを有し、
各引廻し電極は、帯状透明電極から遠ざかるに従って、長手方向および帯状透明電極の並び方向にそれぞれ直交する方向から見た幅寸法が緩やかに変化する形状を有することを特徴とする液晶表示素子。
【請求項４】
引廻し電極は、周縁部が全領域にわたって滑らかな形状に形成されることを特徴とする請求項２または３に記載の液晶表示素子。
【請求項５】
少なくとも並び方向一方の端に配置される帯状透明電極に対し、並び方向一方に略平行に配置されるダミー電極が設けられ、
ダミー電極の並び方向一方の端部は、帯状透明電極の長手方向および並び方向にそれぞれ直交する方向から見て略波線形状を成すことを特徴とする液晶表示素子。
【請求項６】
ダミー電極は、周縁部が全領域にわたって滑らかな形状に形成されることを特徴とする請求項５に記載の液晶表示素子。
【発明の詳細な説明】
【０００１】
【発明の属する技術分野】
本発明は、液晶表示素子に関し、たとえば単純マトリクス方式のフラットパネルディスプレイなどに好適に適用される液晶表示素子に関する。
【０００２】
本発明において、用語「略平行」は「平行」を含み、用語「略波線形状」は「波線形状」を含む。
【０００３】
【従来の技術】
図９は、従来の液晶表示素子１を、基板５を取除いた状態で、厚み方向一方に見て示す平面図である。電子手帳およびワードプロセッサなど、主に静止画像を表示するために適用される液晶表示装置に、たとえば単純マトリクス駆動方式の液晶表示素子１が用いられている。この液晶表示素子１は、一対の基板４，５と、透明電極２，３と、配向膜と、シール材６と、偏光板とを含む。一対の基板４，５は、間隔をあけて平行に配置され、これら基板４，５はシール材６によって貼合わされている。基板４，５とシール材６とで囲まれた空間に液晶が充填されている。
【０００４】
一方の基板４において、他方の基板５に臨む表面部には、この基板４の縁辺部４ａに平行に延びる透明電極２（ストライプ電極ともいう）が形成されている。透明電極２は、この透明電極２の長手方向および厚み方向にそれぞれ直交する方向に所定間隔おきに配置されている。各透明電極２の長手方向一端部には、その透明電極２に信号電圧を供給するための引廻し電極７が一体に形成されている。他方の基板５において、一方の基板４に臨む表面部には、透明電極２の長手方向および厚み方向にそれぞれ直交する方向に所定間隔おきに配置される透明電極３が形成されている。各透明電極３の長手方向一端部には、その透明電極３に信号電圧を供給するための引廻し電極８が一体に形成されている。
【０００５】
図１０は、他の従来技術の液晶表示素子１１を、基板１２に設けられる酸化インジウム錫（ＩＴＯ）電極１３の長手方向および基板１２の厚み方向に沿ってそれぞれ延びる仮想平面で切断して示す要部断面図である。この液晶表示素子１１は、特開２００１−２８１６４６号公報に開示されており、ＩＴＯ電極１３の長手方向一方の端縁部に、長手方向一方に向かうに従って膜厚が小さくなる薄膜部分１６が形成されている。
【０００６】
図１１は、他の従来技術の液晶表示素子１４を、基板１５の厚み方向一方に見て示す平面図である。液晶表示素子１４は、長方形状のＩＴＯ電極１７の端縁部が前記厚み方向一方に見て櫛歯状に一定間隔おきに突出するように形成されている。櫛歯状に突出する各突出部１７ａの突出方向一方に、複数の電極部１８が適当間隔おきに配置される。これら電極部１８は、突出部１７ａから離れるに従ってその面積が次第に小さくなるように配置されている。
【０００７】
【発明が解決しようとする課題】
液晶表示素子は、表示領域における以下の３つの部位が、これらの部位に存在する諸元の異なる複数の領域部分の光反射特性および光吸収特性の差によって他の部位よりも際立って視認される。１つ目の部位は、透明電極の周縁部形状が急激に変化する部位、たとえば透明電極の屈曲部である。２つ目の部位は、透明電極と、この透明電極とは形状の異なる引廻し電極との接続部である。３つ目の部位は、透明電極の長手方向一端部である。これらの部位が仮想一直線上に配置されると、相乗効果によって、視認性がさらに高くなってしまう。
【０００８】
図９に示す従来技術においては、液晶表示素子１は、各透明電極２（３）と引廻し電極７（８）との接続部９（１０）が、並び方向に延びる仮想一直線上に配置されるので、接続部９（１０）の視認性は不所望に高まり、表示領域において、表示に直接関係のない接続部９（１０）自体が目立ってしまう。
【０００９】
図１０に示す従来技術では、薄膜部分１６によって、ＩＴＯ電極１３の膜厚が変化するので、表示領域において「色むら」が生じ、薄膜部分１６の表示品位は著しく低下してしまう。つまり前記従来技術では、透明電極の長手方向一方の端縁部の視認性を低下させることができたとしても、液晶表示素子の表示品位が低下するという新たな課題を生じてしまう。
【００１０】
図１１に示す従来技術では、複数の電極部１８が、前記突出方向に沿って適当間隔おきに配置される構造であるので、突出方向に沿って電極部１８が配置される部分と、電極部１８が配置されない部分とで大きなギャップが生じ、「色むら」が生じる。このように図１１の従来技術でも、透明電極の長手方向一方の端縁部の視認性を低下させることができたとしても、液晶表示素子の表示品位が低下してしまうという新たな課題を生じてしまう。しかも、複数の突出部１７ａの突出方向縁端部は仮想一直線上に配置されるので、前記突出方向縁端部の視認性が高く目立つ。また、複数の電極部１８縁端部も仮想一直線上に配置されるので、これらの縁端部の視認性が高く目立つ。
【００１１】
さらに他の従来技術として、透明電極の視認性を低下させる構造の液晶表示素子がある。この液晶表示素子は、透明電極または配向膜などの透明薄膜を、界面反射光による干渉が可視光域の中間波長に合うような膜厚に形成し、可視光域における透過率が高くなるように構成される。また透明電極の膜質と、配向膜の膜材料と、液晶材料とを、光反射率が低くなるように選定する。さらに液晶表示素子にドライバを設けた液晶表示パネルについて、セル厚、液晶および偏光板の光学特性を種々変更して、透明電極の視認性を低下させる。さらに前記セル厚が、表示領域内で急激に変化して色調変化を起こさないように、透明のダミー電極を設けることによって、透明電極の膜厚分のギャップ差を解消する。この場合、表示領域内の透明電極とダミー電極との間隔を小さくする。
【００１２】
この従来技術では、表示領域における前記３つの部位について、光反射特性および光吸収特性の差を小さくする技術ではないし、仮に、表示領域における前記３つの部位に適用しても、これらの部位の視認性を低下させることができない。
【００１３】
したがって本発明の目的は、表示品位を低下させることなく、表示領域において表示に直接関係のない部位の視認性を低下させることができる液晶表示素子を提供することである。
【００１４】
【課題を解決するための手段】
本発明は、所定間隔おきに略平行に並べて配置され、液晶を駆動する複数の帯状透明電極であって、
各帯状透明電極の並び方向に隣接し、少なくとも長手方向一端部同士が、前記長手方向に関して異なる位置に配置される２つの帯状透明電極を含むことを特徴とする液晶表示素子である。
【００１５】
本発明に従えば、帯状透明電極の並び方向に隣接する２つの帯状透明電極の少なくとも長手方向一端部同士は、長手方向に関して異なる位置に配置されるので、各帯状透明電極の長手方向一端部同士が並び方向に延びる仮想一直線上に配置されることを防止し、各帯状透明電極の長手方向一端部近傍における帯状透明電極の長手方向に関して光反射特性および光吸収特性が急激に異なる領域部分、具体的には、帯状透明電極が配置される領域と配置されない領域との境界が一直線上に並んで明確に視認されることを回避することができる。このように帯状透明電極の長手方向一端部の位置を変化させることは、表示領域における色むら発生などの表示品位の低下を招くことがない。したがって液晶表示素子の表示品位の低下を防止したうえで、帯状透明電極の長手方向一端部の視認性を低くすることができる。
【００１６】
また本発明は、所定間隔おきに略平行に並べて配置され、液晶を駆動する複数の帯状透明電極と、
各帯状透明電極の少なくとも長手方向一端部に、一体に連なって各帯状透明電極に駆動電圧を供給し得る引廻し電極とを含み、
引廻し電極と帯状透明電極との接続部は、並び方向に隣接する複数の接続箇所を結ぶ線が、長手方向および並び方向にそれぞれ直交する方向から見て略波線形状に並ぶことを特徴とする液晶表示素子である。
【００１７】
本発明に従えば、引廻し電極と帯状透明電極との接続部は、並び方向に隣接する複数の接続箇所を結ぶ線が、長手方向および並び方向にそれぞれ直交する方向から見て略波線形状に並ぶように構成されているので、各接続部が並び方向に延びる仮想一直線上に配置されることを防止し、引廻し電極と帯状透明電極との接続部が一直線上に並んで明確に視認されることを回避することができる。このように引廻し電極と帯状透明電極との接続部の位置を変化させることは、表示領域における色むら発生などの表示品位の低下を招くことがない。したがって液晶表示素子の表示品位の低下を防止したうえで、引廻し電極と帯状透明電極との接続部の視認性を低くすることができる。
【００１８】
また本発明は、所定間隔おきに略平行に並べて配置され、液晶を駆動する複数の帯状透明電極と、
各帯状透明電極の長手方向一端部に一体に連なる引廻し電極とを有し、
各引廻し電極は、帯状透明電極から遠ざかるに従って、長手方向および帯状透明電極の並び方向にそれぞれ直交する方向から見た幅寸法が緩やかに変化する形状を有することを特徴とする液晶表示素子である。
【００１９】
本発明に従えば、各引廻し電極が、帯状透明電極から遠ざかるに従って、長手方向および帯状透明電極の並び方向にそれぞれ直交する方向から見た幅寸法を緩やかに変化する形状を有することによって、各帯状透明電極の長手方向一端部および引廻し電極が配置される領域において、各引廻し電極の長手方向に関する、光反射特性および光吸収特性の変化を緩やかにすることができる。これによって表示領域における引廻し電極が配置される領域で、光反射特性および光吸収特性が急激にかつ不所望に変化することが防がれる。このように引廻し電極の幅寸法を変化させることは、表示領域における色むら発生などの表示品位の低下を招くことがない。したがって液晶表示素子の表示品位の低下を防止したうえで、帯状透明電極の長手方向一端部および引廻し電極の視認性を低くすることができる。
【００２０】
また本発明は、引廻し電極は、周縁部が全領域にわたって滑らかな形状に形成されることを特徴とする。
【００２１】
本発明に従えば、引廻し電極の周縁部は、全領域にわたって滑らかな形状に形成されるので、引廻し電極が配置される領域において、引廻し電極の長手方向に関する、光反射特性および光吸収特性の変化を緩やかにすることができる。これによって表示領域における引廻し電極が配置される領域で、光反射特性および光吸収特性が急激にかつ不所望に変化することが防がれる。このように引廻し電極の周縁部を、全領域にわたって滑らかな形状に形成することは、表示領域における色むら発生などの表示品位の低下を招くことがない。したがって液晶表示素子の表示品位の低下を防止したうえで、引廻し電極の視認性を低くすることができる。
【００２２】
また本発明は、少なくとも並び方向一方の端に配置される帯状透明電極に対し、並び方向一方に略平行に配置されるダミー電極が設けられ、
ダミー電極の並び方向一方の端部は、帯状透明電極の長手方向および並び方向にそれぞれ直交する方向から見て略波線形状を成すことを特徴とする液晶表示素子である。
【００２３】
本発明に従えば、ダミー電極の並び方向一方の端部は、帯状透明電極の長手方向および並び方向にそれぞれ直交する方向から見て略波線形状を成すので、ダミー電極の並び方向一方の端部が、前記長手方向に平行に延びる仮想一直線上に配置されることを防止し、ダミー電極の並び方向一方の端部が一直線上に並んで明確に視認されることを回避することができる。このようにダミー電極の並び方向一方の端部の形状を、前記直交する方向から見て変化させることは、表示領域における色むら発生などの表示品位の低下を招くことがない。したがって液晶表示素子の表示品位の低下を防止したうえで、ダミー電極の並び方向一方の端部の視認性を低くすることができる。
【００２４】
また本発明は、ダミー電極は、周縁部が全領域にわたって滑らかな形状に形成されることを特徴とする。
【００２５】
本発明に従えば、ダミー電極の周縁部は、全領域にわたって滑らかな形状に形成されるので、ダミー電極が配置される領域において、ダミー電極の長手方向に関する、光反射特性および光吸収特性の変化を緩やかにすることができる。これによって表示領域におけるダミー電極が配置される領域で、光反射特性および光吸収特性が急激にかつ不所望に変化することが防がれる。このようにダミー電極の周縁部を、全領域にわたって滑らかな形状に形成することは、表示領域における色むら発生などの表示品位の低下を招くことがない。したがって液晶表示素子の表示品位の低下を防止したうえで、ダミー電極の視認性を低くすることができる。
【００２６】
【発明の実施の形態】
図１は、本発明の第１の実施形態の液晶表示素子３０を、基板３４を取除いた状態で厚み方向一方に見て示す平面図である。図２は、液晶表示素子３０を、基板３１に設けられる帯状透明電極３２の長手方向および基板３１の厚み方向に沿ってそれぞれ延びる仮想平面で切断して示す要部断面図である。図３は、帯状透明電極３２および帯状透明電極３３を、基板３４を取除いた状態で、厚み方向一方Ｄ１に見て示す平面図である。本実施形態は、たとえば、単純マトリクス方式の液晶フラットパネルディスプレイなどの液晶表示装置に、本発明の液晶表示素子３０を適用した場合の一例を示す。
【００２７】
液晶表示素子３０は、基板３１と、対向基板３４（以下、単に基板３４と呼ぶ）と、酸化インジウム錫（ＩＴＯ）電極３５，３６と、配向膜３７，３８と、シール材３９と、スペーサ４０と、偏光板４１，４２と、液晶４３とを含む。基板３１および基板３４は、たとえば光透過性の合成樹脂などからそれぞれ矩形状に形成されている。基板３１と基板３４とは、シール材３９によって一定間隔を隔てて平行に配置されて設けられている。基板３１のうち基板３４に臨む表面部３１ａと、基板３４のうち基板３１に臨む表面部３４ａとは対向して配置され、シール材３９は、これら表面部３１ａと表面部３４ａとに臨み、基板３１，３４の周縁部に沿って長方形枠状または正方形枠状に接着されている。シール材３９の一部には、基板３１，３４とシール材３９とで協働して囲まれた空間に液晶４３を充填するための図示外の注入路が形成されている。
【００２８】
基板３１の表面部３１ａには、ＩＴＯ電極３５が形成され、このＩＴＯ電極３５の基板３４に臨む表面部に配向膜３７が積層されている。基板３４の表面部３４ａには、ＩＴＯ電極３６が形成され、このＩＴＯ電極３６の基板３１に臨む表面部に配向膜３８が積層されている。基板３１，３４とシール材３９とで協働して囲まれた空間には、配向膜３７と配向膜３８とにわたって延びる複数のスペーサ４０が設けられている。基板３１，３４は、これらスペーサ４０によって一定間隔が保持される。基板３１のうち、表面部３１ａの反対側の表面部３１ｂには偏光板４１が貼付され、基板３１および偏光板４１の厚み方向一方Ｄ１に光源４４が配置されている。また、基板３４のうち、表面部３４ａの反対側の表面部３４ｂには、偏光板４２が貼付されている。
【００２９】
基板３１に形成されたＩＴＯ電極３５は、液晶４３を駆動するための複数の帯状透明電極３２（ストライプ電極３２ともいう）と複数の引廻し電極４５とで構成されている。基板３１の表面部３１ａにおいて、その外周付近部を除く大部分には、複数の帯状透明電極３２が形成されている。各帯状透明電極３２は、透明な導電膜で形成されるとともに、基板３１の縁辺部３１Ａに沿った方向に平行な方向に延びかつ一定の幅寸法Ｈ１をもつように形成され、これら複数の帯状透明電極３２は所定間隔δ１おきに平行に並べて配置されている。基板３１に形成された帯状透明電極３２の長手方向およびこの長手方向に平行な方向をｘ方向、複数の帯状透明電極３２の並び方向およびこの並び方向に平行な方向をｙ方向と呼ぶ場合もある。
【００３０】
基板３１の表面部３１ａにおいて、各帯状透明電極３２の長手方向一端部３２ａには、この帯状透明電極３２に駆動電圧を供給し得る引廻し電極４５が、一体に連なるように形成されている。これら引廻し電極４５は、帯状透明電極３２を形成する工程において同時に作製される。各引廻し電極４５は、帯状透明電極３２のｘ方向一端部３２ａから、基板３１の縁辺部３１Ａに直角に隣接する縁辺部３１Ｂまで延びるように形成されている。複数の引廻し電極４５のうち、並び方向一方の端に配置される引廻し電極４５は、帯状透明電極３２のｘ方向一端部３２ａから縁辺部３１Ｂに向かうに従って並び方向他方に傾斜する傾斜角度α１を有する。この傾斜角度α１は、基板３１の縁辺部３１Ａに対してたとえば約１０度に設定されている。
【００３１】
前記引廻し電極４５の並び方向他方に隣接する引廻し電極４５は、縁辺部３１Ａに対する傾斜角度α２が、傾斜角度α１よりもやや小さい角度に設定される。この引廻し電極４５の並び方向他方に隣接する引廻し電極４５は、縁辺部３１Ａに対する傾斜角度α３が傾斜角度α２よりもやや小さい角度に設定される。この引廻し電極４５の並び方向他方に隣接する引廻し電極４５は、縁辺部３１Ａに対する傾斜角度α４が傾斜角度α３よりもやや小さい角度に設定される。この引廻し電極４５の並び方向他方に隣接する引廻し電極４５は、縁辺部３１Ａに対する傾斜角度α５が傾斜角度α４よりもやや小さい角度に設定される。
【００３２】
前記引廻し電極４５の並び方向他方に隣接する引廻し電極４５は、縁辺部３１Ａに対する傾斜角度が０度に設定され、この引廻し電極４５の並び方向他方に隣接する引廻し電極４５も、縁辺部３１Ａに対する傾斜角度が０度に設定される。前記引廻し電極４５の並び方向他方に隣接する引廻し電極４５は、帯状透明電極３２のｘ方向一端部３２ａから縁辺部３１Ｂに向かうに従って並び方向一方に傾斜する傾斜角度β１を有する。この傾斜角度β１は、基板３１の縁辺部３１Ａに対してたとえば約５度に設定されている。前記引廻し電極４５の並び方向他方に隣接する引廻し電極４５は、縁辺部３１Ａに対する傾斜角度β２が、傾斜角度β１よりもやや大きい角度に設定される。この引廻し電極４５の並び方向他方に隣接する引廻し電極４５は、縁辺部３１Ａに対する傾斜角度β３が、傾斜角度β２よりもやや大きい角度に設定される。
【００３３】
各引廻し電極４５の幅寸法Ｈ２は、引廻し電極４５を厚み方向に見たｙ方向寸法であり、幅寸法Ｈ２は、帯状透明電極３２の幅寸法Ｈ１のたとえば約１／２の大きさに形成されている。引廻し電極４５の厚さは、帯状透明電極３２の厚さと同一厚さになるように形成されている。ｙ方向に隣接する任意の２つの帯状透明電極３２は、それらのｘ方向一端部３２ａ同士がｘ方向に関して異なる位置に配置されている。また、引廻し電極４５と帯状透明電極３２との接続部４６は、ｙ方向に隣接する複数の接続箇所を結ぶ線が、前記厚み方向から見て一定周期の正弦波形Ｌ１つまり波線形状に並ぶように構成されている。この正弦波形Ｌ１は、たとえば周期約０．５ｍｍ以上３．０ｍｍ以下、振幅約０．３ｍｍ以上１．５ｍｍ以下に設定されている。
【００３４】
基板３４に形成されたＩＴＯ電極３６は、液晶４３を駆動するための複数の帯状透明電極３３と複数の引廻し電極４７とで構成されている。基板３４の表面部３４ａにおいて、その外周付近部を除く大部分には、複数の帯状透明電極３３が形成されている。したがって複数の帯状透明電極３２と、これら帯状透明電極３２の長手方向に対して直交するように配置される複数の帯状透明電極３３とでドットマトリクスが形成される。各帯状透明電極３３は、透明な導電膜で形成されるとともに、ｙ方向に延びかつ一定の幅寸法Ｈ３をもつように形成されている。これら複数の帯状透明電極３３は所定間隔δ２おきに平行に配置されている。
【００３５】
基板３４の表面部３４ａにおいて、各帯状透明電極３３の長手方向一端部３３ａには、この帯状透明電極３３に駆動電圧を供給し得る引廻し電極４７が、一体に連なるように形成されている。これら引廻し電極４７は、帯状透明電極３３を形成する工程において同時に作製される。各引廻し電極４７は、帯状透明電極３３のｙ方向一端部３３ａから、基板３４の縁辺部３４Ａまで延びるように形成されている。複数の引廻し電極４７のうち、並び方向一方の端に配置される引廻し電極４７は、帯状透明電極３３のｙ方向一端部３３ａから縁辺部３４Ａに向かうに従って並び方向他方に傾斜する傾斜角度γ１を有する。この傾斜角度γ１は、基板３４の縁辺部３４Ｂに対してたとえば約１０度に設定されている。
【００３６】
前記引廻し電極４７の並び方向他方に隣接する引廻し電極４７は、縁辺部３４Ｂに対する傾斜角度γ２が、傾斜角度γ１よりもやや小さい角度に設定される。この引廻し電極４７の並び方向他方に隣接する引廻し電極４７は、縁辺部３４Ｂに対する傾斜角度γ３が、傾斜角度γ２よりもやや小さい角度に設定される。この引廻し電極４７の並び方向他方に隣接する引廻し電極４７は、縁辺部３４Ｂに対する図示外の傾斜角度が、傾斜角度γ３よりもやや小さい角度に設定される。前記引廻し電極４７の並び方向他方に隣接する引廻し電極４７は、縁辺部３４Ｂに対する図示外の傾斜角度が、この引廻し電極４７の並び方向一方に隣接する引廻し電極４７の傾斜角度よりもやや小さい角度に設定される。
【００３７】
この小さい角度に設定された引廻し電極４７の並び方向他方に隣接する引廻し電極４７は、縁辺部３４Ｂに対する傾斜角度が０度に設定される。この引廻し電極４７の並び方向他方に隣接する引廻し電極４７は、帯状透明電極３３のｙ方向一端部３３ａから縁辺部３４Ａに向かうに従って並び方向一方に傾斜する図示外の傾斜角度を有する。この傾斜角度は、基板３４の縁辺部３４Ｂに対してたとえば約５度に設定されている。前記引廻し電極４７の並び方向他方に隣接する引廻し電極４７は、縁辺部３４Ｂに対する傾斜角度が、この引廻し電極４７の並び方向一方に隣接する引廻し電極４７の傾斜角度よりもやや大きい角度に設定される。
【００３８】
各引廻し電極４７の幅寸法Ｈ４は、引廻し電極４７を厚み方向に見たｘ方向寸法であり、幅寸法Ｈ４は、帯状透明電極３３の幅寸法Ｈ３のたとえば約１／２の大きさに形成されている。引廻し電極４７の厚さは、帯状透明電極３３の厚さと同一厚さとなるように形成されている。ｘ方向に隣接する任意の２つの帯状透明電極３３は、それらのｙ方向一端部３３ａ同士がｙ方向に関して異なる位置に配置されている。また、引廻し電極４７と帯状透明電極３３との接続部４８は、ｘ方向に隣接する複数の接続箇所を結ぶ線が、前記厚み方向から見て一定周期の正弦波形Ｌ２つまり波線形状に並ぶように構成されている。この正弦波形Ｌ２は、たとえば周期約０．５ｍｍ以上３．０ｍｍ以下、振幅約０．３ｍｍ以上１．５ｍｍ以下に設定されている。
【００３９】
以上説明した液晶表示素子３０によれば、引廻し電極４５と帯状透明電極３２との接続部４６は、帯状透明電極３２の並び方向に隣接する複数の接続箇所を結ぶ線が、前記厚み方向から見て波線形状に並ぶように構成されているので、各接続部４６が並び方向に延びる仮想一直線上に配置されることを防止し、引廻し電極４５と帯状透明電極３２との接続部４６が一直線上に並んで明確に視認されることを回避することができる。このように引廻し電極４５と帯状透明電極３２との接続部４６の位置を変化させることは、表示領域における色むら発生などの表示品位の低下を招くことがない。
【００４０】
引廻し電極４７と帯状透明電極３３との接続部４８も、帯状透明電極３３の並び方向に隣接する複数の接続箇所を結ぶ線が、前記厚み方向から見て波線形状に並ぶように構成されているので、各接続部４８が並び方向に延びる仮想一直線上に配置されることを防止し、引廻し電極４７と帯状透明電極３３との接続部４８が一直線上に並んで明確に視認されることを回避することができる。このように引廻し電極４７と帯状透明電極３３との接続部４８の位置を変化させることは、表示領域における色むら発生などの表示品位の低下を招くことがない。したがって、液晶表示素子３０の表示品位の低下を防止したうえで、引廻し電極４６（４７）と帯状透明電極３２（３３）との接続部４６（４８）の視認性を低くすることができる。
【００４１】
図４は、本発明の第２の実施形態に係る液晶表示素子３０Ａを、基板３４を取除いた状態で、厚み方向一方Ｄ１に見て示す平面図である。ただし前記実施形態と同一の部材には同一の符号を付し、その詳細な説明は省略する。ドットマトリクスを形成する帯状透明電極４９のうち、引廻し電極４５が連なっていない長手方向一端部は、帯状透明電極４９の並び方向に隣接するエッジ部分５０が前記厚み方向から見て不定周期の正弦波形Ｌ３つまり波線形状に部分的に一致するように形成されている。
【００４２】
これらエッジ部分５０のうち、帯状透明電極４９の並び方向一方の端に配置されるエッジ部分５０ａは、この帯状透明電極４９の長手方向一方に凹む曲面形状に形成されている。この帯状透明電極４９の並び方向他方に隣接する帯状透明電極４９のエッジ部分５０ｂは、エッジ部分５０ａのコーナー部５１近傍から、この帯状透明電極４９の長手方向他方に傾斜するように形成されている。前記帯状透明電極４９の並び方向他方に隣接する帯状透明電極４９のエッジ部分５０ｃは、エッジ部分５０ｂのコーナー部５２近傍から、この帯状透明電極４９の長手方向他方に突出する曲面形状に形成されている。
【００４３】
この帯状透明電極４９の並び方向他方に隣接する帯状透明電極４９のエッジ部分５０ｄは、エッジ部分５０ｃのコーナー部５３近傍から、この帯状透明電極４９の長手方向一方に傾斜するように形成されている。この帯状透明電極４９の並び方向他方に隣接する帯状透明電極４９のエッジ部分５０ｅは、エッジ部分５０ｄのコーナー部５４近傍から、この帯状透明電極４９の長手方向一方に傾斜するとともに、エッジ部分５０ａよりも緩やかに帯状透明電極４９の長手方向一方に凹む曲面形状に形成されている。
【００４４】
このように複数の帯状透明電極４９の長手方向一端部は、これら帯状透明電極４９の並び方向に隣接するエッジ部分５０が前記厚み方向から見て不定周期の正弦波形Ｌ３に部分的に一致するように形成されているので、エッジ部分５０は、正弦波形Ｌ３の幅寸法Ｈ５をもつ帯状の領域内に配置されることになり、各帯状透明電極４９の長手方向一端部同士が並び方向に延びる仮想一直線上に配置されることを防止し、帯状透明電極４９が配置される領域と配置されない領域との境界が一直線上に並んで明確に視認されることを回避することができる。このように帯状透明電極４９の長手方向一端部の位置を変化させることは、表示領域における色むら発生などの表示品位の低下を招くことがない。したがって液晶表示素子３０Ａの表示品位の低下を防止したうえで、帯状透明電極４９の長手方向一端部の視認性を低くすることができる。
【００４５】
図５は、第３の実施形態に係る液晶表示素子３０Ｂを、基板３４を取除いた状態で、厚み方向一方Ｄ１に見て示す平面図である。ただし前記実施形態と同一の部材には同一の符号を付し、その詳細な説明は省略する。ドットマトリクスを形成する帯状透明電極５５において、帯状透明電極５５の並び方向の一方の端に配置される帯状透明電極５５に対し、並び方向一方に略平行にダミー電極５６が設けられている。ダミー電極５６は、ドットマトリクス表示には寄与しない電極である。このダミー電極５６の並び方向他方の端部５６ａは、直線形状に形成されるとともに、前記帯状透明電極５５の並び方向一方の端部５５ａに一定の間隔δ３をあけて平行に形成されている。
【００４６】
ダミー電極５６の並び方向一方の端部は、帯状透明電極５５の長手方向および並び方向にそれぞれ直交する方向つまり帯状透明電極５５の厚み方向から見て一定周期の正弦波形Ｌ４つまり波線形状を成している。正弦波形Ｌ４の振幅Ｈ６は、帯状透明電極５５の並び方向寸法つまり幅寸法Ｈ７の約１／２の大きさに形成されている。本液晶表示素子３０Ｂによれば、ダミー電極５６の並び方向一方の端部は、帯状透明電極５５の厚み方向から見て正弦波形Ｌ４を成すので、ダミー電極５６の並び方向一方の端部が、前記長手方向に平行に延びる仮想一直線上に配置されることを防止し、ダミー電極５６の並び方向一方の端部が一直線上に並んで明確に視認されることを回避することができる。このようにダミー電極５６の並び方向一方の端部の形状を、前記厚み方向から見て変化させることは、表示領域における色むら発生などの表示品位の低下を招くことがない。したがって液晶表示素子３０Ｂの表示品位の低下を防止したうえで、ダミー電極５６の並び方向一方の端部の視認性を低くすることができる。
【００４７】
図６は、第４の実施形態に係る液晶表示素子３０Ｃを示す図１相当図である。この液晶表示素子３０Ｃは、所定間隔δ４おきに平行に並べて配置される複数の帯状透明電極５７と、各帯状透明電極５７の長手方向一端部に一体に連なる引廻し電極５８とを有する。各引廻し電極５８は線幅変化部５９と線幅固定部６０とを有する。線幅変化部５９は、その幅寸法Ｈ８が帯状透明電極５７から遠ざかるに従って緩やかに小さく変化する形状になっている。幅寸法Ｈ８は、帯状透明電極５７の長手方向および並び方向にそれぞれ直交する方向すなわち帯状透明電極５７の厚み方向から見た幅寸法である。線幅固定部６０は、線幅変化部５９の長手方向一端部から長手方向一方へ延び、かつ、その幅寸法Ｈ９が固定された形状になっている。また各引廻し電極５８は、後述する周縁部が全領域にわたって滑らかな形状に形成されている。特に、周縁部のうち、線幅変化部５９と線幅固定部６０との境界部分５８ａは、湾曲形成されて直線的な折曲がりがなくなるように形成されている。
【００４８】
線幅変化部５９の並び方向一方の端に配置される線幅変化部５９は、その並び方向一方の周縁部５９ａが、帯状透明電極５７から遠ざかるに従って前記並び方向他方に傾斜するように形成されている。この傾斜角度は、帯状透明電極５７の長手方向に対し、たとえば約３０度に設定されている。前記線幅変化部５９の並び方向他方の周縁部５９ｂは、帯状透明電極５７から遠ざかるに従って前記並び方向他方に傾斜するように形成されている。この傾斜角度は、帯状透明電極５７の長手方向に対し、たとえば約１５度に設定されている。
【００４９】
前記線幅変化部５９の並び方向他方に隣接する線幅変化部５９は、その並び方向一方の周縁部５９ｃが、帯状透明電極５７から遠ざかるに従って前記並び方向他方に傾斜するように形成されている。この傾斜角度は、帯状透明電極５７の長手方向に対し、たとえば約３０度に設定されている。前記線幅変化部５９の並び方向他方の周縁部５９ｄは、帯状透明電極５７から遠ざかるに従って前記並び方向他方に傾斜するように形成されている。この傾斜角度は、帯状透明電極５７の長手方向に対し、たとえば約１０度に設定されている。
【００５０】
線幅変化部５９の並び方向他方の端に配置される線幅変化部５９は、その並び方向一方の周縁部が、帯状透明電極５７から遠ざかるに従って前記並び方向一方に傾斜するように形成されている。この傾斜角度は、帯状透明電極５７の長手方向に対し、約５度に設定されている。前記線幅変化部５９の並び方向他方の周縁部は、帯状透明電極５７から遠ざかるに従って前記並び方向一方に傾斜するように形成されている。この傾斜角度は、帯状透明電極５７の長手方向に対したとえば約１０度に設定されている。
【００５１】
前記線幅変化部５９の並び方向一方に隣接する線幅変化部５９は、その並び方向一方の周縁部が帯状透明電極５７の長手方向に対し、０度に設定されている。前記線幅変化部５９の並び方向他方の周縁部は、帯状透明電極５７から遠ざかるに従って前記並び方向一方に傾斜するように形成されている。この傾斜角度は、帯状透明電極５７の長手方向に対し、たとえば約１５度に設定されている。このように、全ての線幅変化部５９は、帯状透明電極５７の長手方向一端部から長手方向一方に向かうに従って、線幅変化部５９の並び方向にやや収束するように形成されているので、引廻し電極５８を、スペース的に集約し、外部の図示外の信号供給手段に効率良く電気的に接合することができる。
【００５２】
液晶表示素子３０Ｃにおいては、線幅変化部５９の並び方向一方の周縁部の傾斜角度と、並び方向他方の周縁部の傾斜角度とに差を設けて、幅寸法Ｈ８が帯状透明電極５７から遠ざかるに従って緩やかに小さく変化する形状になっている。このように線幅変化部５９を形成したので、各帯状透明電極５７の長手方向一端部および引廻し電極５８が配置される領域において、各引廻し電極５８の長手方向に関する、光反射特性および光吸収特性の変化を緩やかにすることができる。これによって表示領域における引廻し電極５８が配置される領域で、光反射特性および光吸収特性が急激にかつ不所望に変化することが防がれる。このように引廻し電極５８の幅寸法を変化させることは、表示領域における色むら発生などの表示品位の低下を招くことがない。したがって液晶表示素子３０Ｃの表示品位の低下を防止したうえで、帯状透明電極５７の長手方向一端部および引廻し電極５８の視認性を低くすることができる。
【００５３】
また、各引廻し電極５８は、周縁部が全領域にわたって滑らかな形状に形成されており、特に、各引廻し電極５８の周縁部のうち、線幅変化部５９と線幅固定部６０との境界部分５８ａは、滑らかに湾曲形成されて直線的な屈曲部などがなくなるように形成されているので、引廻し電極５８が配置される領域において、引廻し電極５８の長手方向に関する、光反射特性および光吸収特性の変化を緩やかにすることができる。これによって表示領域における引廻し電極５８が配置される領域で、光反射特性および光吸収特性が急激にかつ不所望に変化することが防がれる。このように引廻し電極５８の周縁部を、全領域にわたって滑らかな形状に形成することは、表示領域における色むら発生などの表示品位の低下を招くことがない。したがって液晶表示素子３０Ｃの表示品位の低下を防止したうえで、引廻し電極５８の視認性を格段に低くすることができる。
【００５４】
図７は、第５の実施形態に係る液晶表示素子３０Ｄを示す図１相当図である。この液晶表示素子３０Ｄは、所定間隔δ５おきに平行に並べて配置される複数の帯状透明電極６１と、各帯状透明電極６１の長手方向一端部に一体に連なる引廻し電極６２と、ダミー電極６３とを有する。各引廻し電極６２は線幅変化部６４と線幅固定部６５とを有する。線幅変化部６４は、幅寸法Ｈ１０が帯状透明電極６１から遠ざかるに従って緩やかに小さく変化する形状になっている。幅寸法Ｈ１０は、帯状透明電極６１の長手方向および並び方向にそれぞれ直交する方向つまり帯状透明電極６１の厚み方向から見た幅寸法である。線幅固定部６５は、線幅変化部６４の長手方向一端部から長手方向一方に延び、かつ、幅寸法Ｈ１１が固定されている。
【００５５】
線幅変化部６４の並び方向一方の端に配置される線幅変化部６４Ａは、その並び方向一方の周縁部６４ａが、帯状透明電極６１から遠ざかるに従って前記並び方向一方に傾斜するように形成されている。この傾斜角度は、帯状透明電極６１の長手方向に対し、たとえば約３０度以上４０度未満に設定されている。前記線幅変化部６４Ａの並び方向他方の周縁部６４ｂは、帯状透明電極６１から遠ざかるに従って前記並び方向一方に傾斜するように形成されている。この傾斜角度は、帯状透明電極６１の長手方向に対し、たとえば約４０度以上４５度以下に設定されている。
【００５６】
線幅変化部６４Ａの並び方向他方に順次隣接する線幅変化部６４Ｂ〜６４Ｆは、その並び方向一方の周縁部６４ｃが、帯状透明電極６１から遠ざかるに従って前記並び方向一方に傾斜するように形成されている。この傾斜角度は、帯状透明電極６１の長手方向に対し、たとえば約３０度以上４０度未満に設定されている。線幅変化部６４Ｂ〜６４Ｆの並び方向他方の周縁部６４ｄは、帯状透明電極６１から遠ざかるに従って前記並び方向一方に傾斜するように形成されている。この傾斜角度は、帯状透明電極６１の長手方向に対し、たとえば約４０度以上４５度以下に設定されている。
【００５７】
線幅変化部６４の並び方向他方の端に配置される線幅変化部６４Ｇは、前記並び方向他方の周縁部６４ｅが帯状透明電極６１から遠ざかるに従って、前記並び方向他方に傾斜するように形成されている。この傾斜角度は、帯状透明電極６１の長手方向に対し、たとえば約３０度以上４０度未満に設定されている。線幅変化部６４Ｇの並び方向一方の周縁部６４ｆは、帯状透明電極６１から遠ざかるに従って前記並び方向他方に傾斜するように形成されている。この傾斜角度は、前記長手方向に対し、たとえば約４０度以上４５度以下に設定されている。
【００５８】
線幅変化部６４Ｇの並び方向一方に順次隣接する線幅変化部６４Ｈ〜６４Ｌは、その並び方向他方の周縁部６４ｇが、帯状透明電極６１から遠ざかるに従って、前記並び方向他方に傾斜するように形成されている。この傾斜角度は、前記長手方向に対し、たとえば約３０以上４０度未満に設定されている。線幅変化部６４Ｈ〜６４Ｌの並び方向一方の周縁部６４ｈは、帯状透明電極６１から遠ざかるに従って前記並び方向他方に傾斜するように形成されている。この傾斜角度は、前記長手方向に対し約４０度以上４５度以下に設定されている。このように線幅変化部６４Ａ〜６４Ｆは、帯状透明電極６１の長手方向一端部から長手方向一方に向かうに従ってやや収束するように配置される。線幅変化部６４Ｇ〜６４Ｌは、帯状透明電極６１の長手方向一端部から長手方向一方に向かうに従ってやや収束するように配置される。
【００５９】
線幅変化部６４Ｆと、線幅変化部６４Ｌとの間には、帯状透明電極６１の厚み方向に見て三角形状の領域Ｓ１が形成される。線幅変化部６４Ｆに一体に連なる線幅固定部６５と、線幅変化部６４Ｌに一体に連なる線幅固定部６５との間には、帯状透明電極６１の厚み方向に見て、三角形状の領域Ｓ１に連なる四角形状の領域Ｓ２が形成される。
【００６０】
ダミー電極６３は、ドットマトリクス表示には寄与しない電極であって、これら領域Ｓ１，Ｓ２に形成されている。ダミー電極６３は、第１ダミー電極部６６と、第２ダミー電極部６７と、第３ダミー電極部６８とで構成されている。ダミー電極６３のうち第１ダミー電極部６６は、線幅変化部６４Ｆおよびその線幅固定部６５の並び方向他方の周縁部と、線幅変化部６４Ｌおよびその線幅固定部６５の並び方向一方の周縁部とに、それぞれ間隔δ６をあけて形成されている。
【００６１】
第１ダミー電極部６６は、前記厚み方向に見て、線幅変化部６４Ｆおよびその線幅固定部６５、線幅変化部６４Ｌおよびその線幅固定部６５の周縁部に対向する略Ｕ字形状に形成されている。第１ダミー電極部６６のうち、線幅変化部６４に臨む外周縁部６６ａと、その背面側の内周縁部６６ｂとは、全領域にわたって滑らかな形状に形成されている。特に、外周縁部６６ａのうち線幅変化部６４Ｆと線幅変化部６４Ｌとにそれぞれ近接する外周縁部分と、内周縁部６６ｂのうち線幅変化部６４Ｆと線幅変化部６４Ｌとにそれぞれ近接する内周縁部分とは、湾曲形成されて直線的な折曲がりがなくなるように形成されている。
【００６２】
第２ダミー電極部６７は、前記厚み方向に見て、第１ダミー電極部６６の内周縁部６６ｂに、間隔δ７をあけて臨む略Ｕ字形状に形成されるとともに、その外周縁部６７ａと内周縁部６７ｂとが全領域にわたって滑らかな形状に形成されている。第２ダミー電極部６７のうち、第１ダミー電極部６６の前記内周縁部分近傍の外周縁部分と、その背面側の内周縁部分とは、湾曲形成されて直線的な折曲がりがなくなるように形成されている。
【００６３】
第３ダミー電極部６８は、前記厚み方向に見て、第２ダミー電極部６７の内周縁部６７ｂに、間隔δ８をあけて帯状透明電極６１の長手方向に沿って形成されている。第３ダミー電極部６８は、その外周縁部６８ａが全領域にわたって滑らかな形状に形成されている。特に、第３ダミー電極部６８のうち、第２ダミー電極部６８の内周縁部分近傍の外周縁部分は、湾曲形成されて直線的な折曲がりがなくなるように形成されている。
【００６４】
この液晶表示素子３０Ｄによれば、引廻し電極６２のうち線幅変化部６４の幅寸法Ｈ１０は、帯状透明電極６１から遠ざかるに従って緩やかに小さく変化する形状になっているので、各帯状透明電極６１の長手方向一端部および引廻し電極６２が配置される領域において、各引廻し電極６２の長手方向に関する、光反射特性および光吸収特性の変化を緩やかにすることができる。これによって表示領域における引廻し電極６２が配置される領域で、光反射特性および光吸収特性が急激にかつ不所望に変化することが防がれる。このように引廻し電極６２の幅寸法を変化させることは、表示領域における色むら発生などの表示品位の低下を招くことがない。したがって液晶表示素子３０Ｄの表示品位の低下を防止したうえで、帯状透明電極６１の長手方向一端部および引廻し電極６２の視認性を低くすることができる。
【００６５】
ダミー電極６３の周縁部は、全領域にわたって滑らかな形状に形成されるので、ダミー電極６３が配置される領域において、ダミー電極６３の長手方向に関する、光反射特性および光吸収特性の変化を緩やかにすることができる。これによって表示領域におけるダミー電極６３が配置される領域で、光反射特性および光吸収特性が急激にかつ不所望に変化することが防がれる。このようにダミー電極６３の周縁部を、全領域にわたって滑らかな形状に形成することは、表示領域における色むら発生などの表示品位の低下を招くことがない。したがって液晶表示素子３０Ｄの表示品位の低下を防止したうえで、ダミー電極６３の視認性を低くすることができる。
【００６６】
図８は、本発明の実施形態を部分的に変更した変更形態に係る液晶表示素子を、基板３４を取除いた状態で、厚み方向一方に見て示す平面図である。図８（ａ）に示すように、引廻し電極６９と帯状透明電極７０との接続部７１は、帯状透明電極７０の並び方向に隣接する複数の接続箇所を結ぶ線が、帯状透明電極７０の厚み方向から見て鋸刃形状Ｌ５の波線形状に並ぶように構成されているので、各接続部７１が並び方向に延びる仮想一直線上に配置されることを防止し、引廻し電極６９と帯状透明電極７０との接続部７１が一直線上に並んで明確に視認されることを回避することができる。このように引廻し電極６９と帯状透明電極７０との接続部７１の位置を変化させることは、表示領域における色むら発生などの表示品位の低下を招くことがない。したがって、この液晶表示素子の表示品位の低下を防止したうえで、引廻し電極６９と帯状透明電極７０との接続部７１の視認性を低くすることができる。
【００６７】
図８（ｂ）に示すように、帯状透明電極７２の並び方向一方の端に配置される帯状透明電極７２に対し、並び方向一方に略平行にダミー電極７３が設けられている。ダミー電極７３の並び方向一方の端部７３ｂは、帯状透明電極７２の厚み方向から見て鋸刃形状の波線形状を成している。ダミー電極７３の並び方向他方の端部７３ａは、直線形状に形成されるとともに、前記帯状透明電極７２の並び方向一方の端部７２ａに一定の間隔δ９をあけて平行に形成されている。本変更形態によれば、ダミー電極７３の並び方向一方の端部は、帯状透明電極７２の厚み方向から見て鋸刃形状を成すので、ダミー電極７３の並び方向一方の端部が、前記長手方向に平行に延びる仮想一直線上に配置されることを防止し、ダミー電極７３の並び方向一方の端部が一直線上に並んで明確に視認されることを回避することができる。このようにダミー電極７３の並び方向一方の端部の形状を、前記厚み方向から見て変化させることは、表示領域における色むら発生などの表示品位の低下を招くことがない。したがってこの液晶表示素子の表示品位の低下を防止したうえで、ダミー電極７３の並び方向一方の端部の視認性を低くすることができる。
【００６８】
図８（ｃ）に示すように、帯状透明電極７４のうち、引廻し電極に接合しない長手方向一端部は、帯状透明電極７４の並び方向に隣接するエッジ部分７５が、帯状透明電極７４の厚み方向から見て鋸刃形状Ｌ６の波線形状に部分的に一致するように形成されているので、エッジ部分７５は、鋸刃形状Ｌ６の幅寸法をもつ帯状の領域内に配置されることになり、各帯状透明電極７４の長手方向一端部同士が並び方向に延びる仮想一直線上に配置されることを防止し、帯状透明電極７４が配置される領域と配置されない領域との境界が一直線上に並んで明確に視認されることを回避することができる。このように帯状透明電極７４の長手方向一端部の位置を変化させることは、表示領域における色むら発生などの表示品位の低下を招くことがない。したがってこの液晶表示素子の表示品位の低下を防止したうえで、帯状透明電極７４の長手方向一端部の視認性を低くすることができる。
【００６９】
本発明の実施の他の形態として、引廻し電極と帯状透明電極との接続部は、ｙ方向に隣接する複数の接続箇所を結ぶ線が、前記厚み方向から見て不定周期の正弦波形に並ぶように配設してもよい。引廻し電極の幅寸法は、帯状透明電極のｙ方向寸法の約１／２の寸法に必ずしも限定されるものではない。たとえば引廻し電極の幅寸法を、帯状透明電極のｙ方向寸法の１／２以上に形成してもよい。また、引廻し電極の幅寸法を、帯状透明電極のｙ方向寸法の１／２未満に形成してもよい。基板および対向基板をたとえば硼けい酸ガラスなどから形成してもよい。各エッジ部分のうちの一点だけが、前記厚み方向から見て波線形状に部分的に一致するように形成してもよい。
【００７０】
線幅変化部は、線幅が帯状透明電極から遠ざかるに従って緩やかに大きく変化する形状にすることも可能である。線幅変化部は、線幅が帯状透明電極から遠ざかるに従って緩やかに小さく変化する形状と、線幅が帯状透明電極から遠ざかるに従って緩やかに大きく変化する形状とが混在する形状にすることも可能である。このような場合にも、光透過および反射による光学的特性を緩やかに変化させることができる。その他、前記実施形態に、特許請求の範囲を逸脱しない範囲において種々の部分的変更を行う場合もある。
【００７１】
【発明の効果】
以上のように本発明によれば、帯状透明電極の並び方向に隣接する２つの帯状透明電極の少なくとも長手方向一端部同士は、長手方向に関して異なる位置に配置されるので、各帯状透明電極の長手方向一端部同士が並び方向に延びる仮想一直線上に配置されることを防止し、各帯状透明電極の長手方向一端部近傍における帯状透明電極の長手方向に関して光反射特性および光吸収特性が急激に異なる領域部分、具体的には、帯状透明電極が配置される領域と配置されない領域との境界が一直線上に並んで明確に視認されることを回避することができる。このように帯状透明電極の長手方向一端部の位置を変化させることは、表示領域における色むら発生などの表示品位の低下を招くことがない。したがって液晶表示素子の表示品位の低下を防止したうえで、帯状透明電極の長手方向一端部の視認性を低くすることができる。
【００７２】
また本発明によれば、引廻し電極と帯状透明電極との接続部は、並び方向に隣接する複数の接続箇所を結ぶ線が、長手方向および並び方向にそれぞれ直交する方向から見て略波線形状に並ぶように構成されているので、各接続部が並び方向に延びる仮想一直線上に配置されることを防止し、引廻し電極と帯状透明電極との接続部が一直線上に並んで明確に視認されることを回避することができる。このように引廻し電極と帯状透明電極との接続部の位置を変化させることは、表示領域における色むら発生などの表示品位の低下を招くことがない。したがって液晶表示素子の表示品位の低下を防止したうえで、引廻し電極と帯状透明電極との接続部の視認性を低くすることができる。
【００７３】
また本発明によれば、各引廻し電極が、帯状透明電極から遠ざかるに従って、長手方向および帯状透明電極の並び方向にそれぞれ直交する方向から見た幅寸法を緩やかに変化する形状を有することによって、各帯状透明電極の長手方向一端部および引廻し電極が配置される領域において、各引廻し電極の長手方向に関する、光反射特性および光吸収特性の変化を緩やかにすることができる。これによって表示領域における引廻し電極が配置される領域で、光反射特性および光吸収特性が急激にかつ不所望に変化することが防がれる。このように引廻し電極の幅寸法を変化させることは、表示領域における色むら発生などの表示品位の低下を招くことがない。したがって液晶表示素子の表示品位の低下を防止したうえで、帯状透明電極の長手方向一端部および引廻し電極の視認性を低くすることができる。
【００７４】
また本発明によれば、引廻し電極の周縁部は、全領域にわたって滑らかな形状に形成されるので、引廻し電極が配置される領域において、引廻し電極の長手方向に関する、光反射特性および光吸収特性の変化を緩やかにすることができる。これによって表示領域における引廻し電極が配置される領域で、光反射特性および光吸収特性が急激にかつ不所望に変化することが防がれる。このように引廻し電極の周縁部を、全領域にわたって滑らかな形状に形成することは、表示領域における色むら発生などの表示品位の低下を招くことがない。したがって液晶表示素子の表示品位の低下を防止したうえで、引廻し電極の視認性を低くすることができる。
【００７５】
また本発明によれば、ダミー電極の並び方向一方の端部は、帯状透明電極の長手方向および並び方向にそれぞれ直交する方向から見て略波線形状を成すので、ダミー電極の並び方向一方の端部が、前記長手方向に平行に延びる仮想一直線上に配置されることを防止し、ダミー電極の並び方向一方の端部が一直線上に並んで明確に視認されることを回避することができる。このようにダミー電極の並び方向一方の端部の形状を、前記直交する方向から見て変化させることは、表示領域における色むら発生などの表示品位の低下を招くことがない。したがって液晶表示素子の表示品位の低下を防止したうえで、ダミー電極の並び方向一方の端部の視認性を低くすることができる。
【００７６】
また本発明によれば、ダミー電極の周縁部は、全領域にわたって滑らかな形状に形成されるので、ダミー電極が配置される領域において、ダミー電極の長手方向に関する、光反射特性および光吸収特性の変化を緩やかにすることができる。これによって表示領域におけるダミー電極が配置される領域で、光反射特性および光吸収特性が急激にかつ不所望に変化することが防がれる。このようにダミー電極の周縁部を、全領域にわたって滑らかな形状に形成することは、表示領域における色むら発生などの表示品位の低下を招くことがない。したがって液晶表示素子の表示品位の低下を防止したうえで、ダミー電極の視認性を低くすることができる。
【図面の簡単な説明】
【図１】本発明の第１の実施形態の液晶表示素子を、基板３４を取除いた状態で、厚み方向一方に見て示す平面図である。
【図２】液晶表示素子を、基板に設けられる帯状透明電極の長手方向および基板の厚み方向に沿ってそれぞれ延びる仮想平面で切断して示す要部断面図である。
【図３】帯状透明電極および帯状透明電極を、基板３４を取除いた状態で、厚み方向一方に見て示す一部破断した平面図である。
【図４】第２の実施形態に係る液晶表示素子を、基板３４を取除いた状態で、基板の厚み方向一方に見て示す平面図である。
【図５】第３の実施形態に係る液晶表示素子を、基板３４を取除いた状態で、厚み方向他方に見て示す平面図である。
【図６】第４の実施形態に係る液晶表示素子を示す図１相当図である。
【図７】第５の実施形態に係る液晶表示素子を示す図１相当図である。
【図８】本発明の実施形態を部分的に変更した変更形態に係る液晶表示素子を、基板３４を取除いた状態で、厚み方向一方に見て示す平面図である。
【図９】従来の液晶表示素子を、基板５を取除いた状態で、厚み方向一方に見て示す平面図である。
【図１０】さらに他の従来技術の液晶表示素子１１を、基板１２に設けられるＩＴＯ電極１３の長手方向および基板１２の厚み方向に沿ってそれぞれ延びる仮想平面で切断して示す要部断面図である。
【図１１】さらに他の従来技術の液晶表示素子１４を、基板１５の厚み方向一方に見て示す平面図である。
【符号の説明】
３０　液晶表示素子
３１　基板
３２，３３　帯状透明電極
３２ａ　長手方向一端部
３４　対向基板
４５，４７　引廻し電極
４６，４８　接続部
５６　ダミー電極
【図１】
2004013009.tif 000003
【図２】
2004013009.tif 000004
【図３】
2004013009.tif 000005
【図４】
2004013009.tif 000006
【図５】
2004013009.tif 000007
【図６】
2004013009.tif 000008
【図７】
2004013009.tif 000009
【図８】
2004013009.tif 000010
【図９】
2004013009.tif 000011
【図１０】
2004013009.tif 000012
【図１１】
2004013009.tif 000013